(57)【特許請求の範囲】
【請求項１】
シリンダボディ内で回転可能に配設され、イグニッションキーを挿抜可能なキー孔が形成されたロータと、
該ロータの上面を覆いつつ当該ロータに対して回転可能に取り付けられるとともに、前記キー孔と略同一の孔形状が形成され、当該孔形状を前記キー孔に合致させて当該キー孔に対してイグニッションキーを挿通可能とさせる開放位置と、当該孔形状を前記キー孔からずらした状態として当該キー孔に対するイグニッションキーの挿通を規制する規制位置との間で回転可能とされたシャッターと、
前記ロータに形成され、前記シャッターが規制位置にあるとき、当該シャッターの開放位置側への回転を規制してロックし得るロック手段と、
該ロック手段のロックを解除して前記シャッターを開放位置側へ回転操作し得る解錠手段と、
を備えたイグニッションスイッチ装置であって、
前記解錠手段は、磁気を発生させ得る磁気発生手段と、前記シャッターの孔形状に挿通して係止可能な突出部とを有し、前記ロック手段は、前記シャッターの裏面に形成された凹部に係止して当該シャッターをロックし得るとともに、前記解錠手段における磁気発生手段の磁気で反発して移動し、当該凹部との係合が解かれて当該シャッターのロックを解除し得る磁石を有したマグネット錠から成り、且つ、前記シャッターは、その上面が略平坦な面とされるとともに、前記突出部が前記孔形状に挿通して係止された状態で前記磁気発生手段がロック手段に対応した位置となってロックが解除され、その状態から前記解錠手段を回転させることにより前記規制位置から開放位置までの回転操作が可能とされることを特徴とするイグニッションスイッチ装置。
【請求項２】
前記マグネット錠における磁石は、前記ロータの回転軸と略平行な方向に移動して前記シャッターのロック又はロック解除が可能とされたことを特徴とする請求項１記載のイグニッションスイッチ装置。
【請求項３】
前記磁石及び当該磁石の移動範囲をシールするシール手段が形成されたことを特徴とする請求項１又は請求項２記載のイグニッションスイッチ装置。
【発明の詳細な説明】
【技術分野】
【０００１】
本発明は、二輪車等に装備されるイグニッションスイッチ装置に関するものである。
【背景技術】
【０００２】
従来、盗難を目的とした第三者によるはさみやドライバ等のキー孔への差し込みで二輪車等のシリンダ錠が破壊されるのを防止するために、例えば特許文献１で開示されたイグニッションスイッチ装置が提案されている。かかるイグニッションスイッチ装置は、ロータのキー孔と略同一の孔形状が形成されたシャッター（第１のシリンダ錠）を具備して構成され、孔形状をキー孔に合致させることにより当該キー孔に対するイグニッションキーの挿通を可能とするとともに、当該孔形状をキー孔に対して略直交した状態とすることにより当該キー孔に対するイグニッションキーの挿通を規制するものとされていた。
【０００３】
更に、上記従来のイグニッションスイッチ装置には、シャッターが規制位置にあるとき、当該シャッターの開放位置側への回転を規制してロックし得るロック手段を具備していた。このロック手段は、シャッターの開放位置側への回転を規制してロックするタンブラで構成されており、当該シャッターに形成された貫通孔にロックキーのキー部を挿通して当該タンブラを押圧操作することにより、シャッターのロック及びロックの解除がなされるよう構成されていた。このような従来のイグニッションスイッチ装置によれば、比較的簡易な構成で盗難の抑制効果が期待できる。
【先行技術文献】
【特許文献】
【０００４】
【特許文献１】特開平１１−１７０９８０号公報
【発明の概要】
【発明が解決しようとする課題】
【０００５】
しかしながら、上記従来のイグニッションスイッチ装置においては、そのロック手段が、シャッターの開放位置側への回転を規制してロックするタンブラで構成されるとともに、当該シャッターに形成された貫通孔にロックキーのキー部を挿通して当該タンブラを押圧操作するよう構成されていたため、貫通孔を介して外部から雨水や埃等の異物が侵入してしまう虞があった。
【０００６】
本発明は、このような事情に鑑みてなされたもので、比較的簡単な構成で盗難の抑制を図ることができるとともに、ロック手段のシールを容易に行わせることができるイグニッションスイッチ装置を提供することにある。
【課題を解決するための手段】
【０００７】
請求項１記載の発明は、シリンダボディ内で回転可能に配設され、イグニッションキーを挿抜可能なキー孔が形成されたロータと、該ロータの上面を覆いつつ当該ロータに対して回転可能に取り付けられるとともに、前記キー孔と略同一の孔形状が形成され、当該孔形状を前記キー孔に合致させて当該キー孔に対してイグニッションキーを挿通可能とさせる開放位置と、当該孔形状を前記キー孔からずらした状態として当該キー孔に対するイグニッションキーの挿通を規制する規制位置との間で回転可能とされたシャッターと、前記ロータに形成され、前記シャッターが規制位置にあるとき、当該シャッターの開放位置側への回転を規制してロックし得るロック手段と、該ロック手段のロックを解除して前記シャッターを開放位置側へ回転操作し得る解錠手段とを備えたイグニッションスイッチ装置であって、前記解錠手段は、磁気を発生させ得る磁気発生手段と、前記シャッターの孔形状に挿通して係止可能な突出部とを有し、前記ロック手段は、前記シャッターの裏面に形成された凹部に係止して当該シャッターをロックし得るとともに、前記解錠手段における磁気発生手段の磁気で反発して移動し、当該凹部との係合が解かれて当該シャッターのロックを解除し得る磁石を有したマグネット錠から成り、且つ、前記シャッターは、その上面が略平坦な面とされるとともに、前記突出部が前記孔形状に挿通して係止された状態で前記磁気発生手段がロック手段に対応した位置となってロックが解除され、その状態から前記解錠手段を回転させることにより前記規制位置から開放位置までの回転操作が可能とされることを特徴とする。
【０００９】
請求項２記載の発明は、請求項１記載のイグニッションスイッチ装置において、前記マグネット錠における磁石は、前記ロータの回転軸と略平行な方向に移動して前記シャッターのロック又はロック解除が可能とされたことを特徴とする。
【００１１】
請求項３記載の発明は、請求項１又は請求項２記載のイグニッションスイッチ装置において、前記磁石及び当該磁石の移動範囲をシールするシール手段が形成されたことを特徴とする。
【発明の効果】
【００１２】
請求項１の発明によれば、ロック手段は、シャッターの裏面に形成された凹部に係止して当該シャッターをロックし得るとともに、解錠手段における磁気発生手段の磁気で反発して移動し、当該凹部との係合が解かれて当該シャッターのロックを解除し得る磁石を有したマグネット錠から成るので、比較的簡単な構成で盗難の抑制を図ることができるとともに、ロック手段のシールを容易に行わせることができる。
【００１３】
さらに、シャッターは、その上面が略平坦な面とされたので、盗難を目的とした第三者がペンチなどの汎用工具を用いてシャッターと共にロータを無理矢理回転させてしまうのを回避することができ、盗難防止効果をより向上させることができる。
【００１４】
請求項２の発明によれば、マグネット錠における磁石は、ロータの回転軸と略平行な方向に移動してシャッターのロック又はロック解除が可能とされたので、イグニッションスイッチ装置の幅方向の寸法を小さく設定することができ、装置の小型化を図ることができる。
【００１６】
請求項３の発明によれば、磁石及び当該磁石の移動範囲をシールするシール手段が形成されたので、雨水や異物の侵入によって磁石の移動がスムーズに行われなくなってしまうのを回避することができ、装置の信頼性を向上させることができる。
【図面の簡単な説明】
【００１７】
【図１】参考例に係るイグニッションスイッチ装置（シャッターが開放位置）を示す平面図
【図２】同イグニッションスイッチ装置（シャッターが規制位置）を示す平面図
【図３】図２におけるＩＩＩ−ＩＩＩ線断面図
【図４】図２におけるＩＶ−ＩＶ線断面図
【図５】同イグニッションスイッチ装置における解錠手段（マグネットキー）を示す正面図
【図６】同解錠手段（マグネットキー）を示す平面図
【図７】同解錠手段（マグネットキー）によりロック手段（マグネット錠）によるロックを解除した状態を示す断面模式図
【図８】同イグニッションスイッチ装置（シャッターが開放位置且つロータがオフ位置）を示す平面図
【図９】同イグニッションスイッチ装置（シャッターが開放位置且つロータがオン位置）を示す平面図
【図１０】本発明の実施形態に係るイグニッションスイッチ装置（マグネット錠がロック状態）を示す断面模式図
【図１１】同イグニッションスイッチ装置における解錠手段（マグネットキー）を示す正面図
【図１２】同解錠手段（マグネットキー）を示す平面図
【図１３】同解錠手段（マグネットキー）によりロック手段（マグネット錠）によるロックを解除した状態を示す断面模式図
【図１４】本発明の他の参考例に係るイグニッションスイッチ装置（マグネット錠がロック状態）を示す断面模式図
【図１５】同イグニッションスイッチ装置における解錠手段（マグネットキー）を示す正面図
【図１６】同解錠手段（マグネットキー）を示す平面図
【図１７】同解錠手段（マグネットキー）によりロック手段（マグネット錠）によるロックを解除した状態を示す断面模式図
【発明を実施するための形態】
【００１８】
以下、参考例及び本発明の実施形態について図面を参照しながら具体的に説明する。
参考例に係るイグニッションスイッチ装置は、二輪車等に装備されてイグニッションキーを挿抜可能なロータを具備したもので、図１〜６に示すように、ロータ２と、シャッター３と、ロック手段としてのマグネット錠４と、解錠手段としてのマグネットキー７と、シール手段としてのＯリング５、６とから主に構成されている。
【００１９】
ロータ２は、本イグニッションスイッチ装置１の筐体を構成するシリンダボディＳ内で回転軸（図３、４における上下方向に延びる軸）を中心に回転可能に配設され、イグニッションキーＩＫ（図５参照）を挿抜可能なキー孔２ａが形成されたものである。かかるロータ２内には複数のタンブラが形成されており、正規のイグニッションキーＩＫのキー部ＩＫａをキー孔２ａに挿通させると、そのキー部ＩＫａのキー山によって各タンブラを回動させ、ロータ２全体をシリンダボディＳに対して回転可能な状態とし得るよう構成されている。
【００２０】
然るに、ロータ２のキー孔２ａにイグニッションキーＩＫのキー部ＩＫａを挿通させた状態で、当該ロータ２をオン位置まで回転操作すると（図９参照）、二輪車（車両）のエンジンを始動させ、当該ロータ２をオフ位置まで回転操作すると（図８参照）、二輪車（車両）のエンジンを停止させるようになっている。また、オフ位置にあるロータ２のキー孔２ａにイグニッションキーＩＫのキー部ＩＫａを挿通させた状態で、押圧操作しつつロック位置まで回転操作すると（図１参照）、イグニッションスイッチ装置１に配設されたロックバーを突出させて二輪車（車両）のハンドルバーに係合させ、ステアリングロック可能とされている。
【００２１】
シャッター３は、ロータ２の上面（キー孔２ａを臨ませた面）を覆いつつ連結部材８によって当該ロータ２に対して回転可能に取り付けられるとともに、キー孔２ａと略同一の孔形状３ａが形成されている。即ち、連結部材８は、ロータ２とシャッター３とを連結する部材から成り、当該ロータ２と一体的に回転するものとされている。かかるシャッター３は、孔形状３ａをキー孔２ａに合致させて当該キー孔２ａに対してイグニッションキーＩＫ（具体的には、イグニッションキーＩＫのキー部ＩＫａ）を挿通可能とさせる開放位置（図１参照）と、当該孔形状３ａをキー孔２ａからずらした状態（厳密には、キー孔２ａに対して孔形状３ａを略直交させた状態）として当該キー孔２ａに対するイグニッションキーＩＫ（厳密には、イグニッションキーＩＫのキー部ＩＫａ）の挿通を規制する規制位置（図２参照）との間で回転可能とされている。
【００２２】
即ち、シャッター３が開放位置にあるとき、キー孔２ａと孔形状３ａとが合致するので、キー孔２ａに対するイグニッションキーＩＫの挿通を可能とするとともに、シャッター３が規制位置にあるとき、キー孔２ａに対して孔形状３ａが合致せず直交した状態となるので、キー孔２ａに対するイグニッションキーＩＫの挿通を規制するようになっている。尚、本参考例においては、シャッター３が規制位置にあるとき、キー孔２ａに対して孔形状３ａが直交した状態とされているが、当該キー孔２ａに対して孔形状３ａがずれた状態とすれば足り、両者を僅かにずらした状態であっても、イグニッションキーＩＫの挿通を規制することができる。
【００２３】
尚、本参考例においては、ロータ２は、その上面から上方に突出した凸部が形成されるとともに、シャッター３は、当該凸部に倣った凸形状３ｃ（中央が上方に突出形成された形状）を有している。かかる凸形状３ｃの突出を僅かな寸法に設定することにより、シール手段としてのＯリング６を容易且つ確実に介装させ得るものとしてもよく、或いは凸形状３ｃの突出をある程度大きな寸法に設定することにより、当該凸形状３ｃを摘んでシャッター３を回転操作可能とするようにしてもよい。
【００２４】
また、本参考例においては、図４に示すように、シャッター３の裏面側所定位置に下方に突出した突起３ｄが形成されているとともに、当該突起３ｄを摺動可能な溝形状２ｂがロータ２に形成されている。即ち、溝形状２ｂは、平面視で弧状に形成されており、シャッター３がロータ２に対して相対的に回転する際、突起３ｄが溝形状２ｂに沿って移動することにより当該シャッター３をガイド（案内）し得るようになっているのである。これにより、シャッター３のロータ２に対する回動操作をスムーズに行わせることができる。
【００２５】
マグネット錠４（ロック手段）は、ロータ２の上面側（具体的には、キー孔２ａの周縁）に形成され、シャッター３が規制位置にあるとき、当該シャッター３の開放位置側への回転を規制してロックし得るものである。本参考例に係るマグネット錠４は、ロータ２の上面側におけるキー孔２ａの周縁に形成された４つの凹部にそれぞれ挿入された磁石４ａ及びバネ４ｂを有して構成されている。尚、必ずしも４つの凹部全てに磁石４ａ及びバネ４ｂを挿入する必要はなく、２〜３カ所の凹部に挿入されていればよい。
【００２６】
それぞれの磁石４ａは、Ｓ極またはＮ極を任意選択的に上方に向けつつ配設されており（即ち、上部がＳ極又はＮ極となるよう任意選択的に配設されている）、バネ４ｂによって上方へ常時付勢されている。かかる磁石４ａの配置を任意に設定することで、マグネット錠４によるキー種が構成されることとなる。また、本参考例においては、マグネット錠４における磁石４ａは、ロータ２の回転軸と略平行な方向（即ち、図３、４における上下方向）に移動可能とされている。
【００２７】
シール手段としてのＯリング５、６は、マグネット錠４の磁石４ａ及び当該磁石４ａの移動範囲（磁石４ａを収容した凹部及びシャッター３の裏面に形成された凹部３ｂ）をシールするためのものである。即ち、磁石４ａの形成部位より内径側であってロータ２とシャッター３（凸部３ｃに対応する位置）との間にＯリング６が介装されており、孔形状３ａ及びキー孔２ａ側からの雨水や異物の侵入を防止し得るとともに、磁石４ａの形成部位より外径側であってロータ２とシャッター３との間にＯリング５が介装されており、シリンダボディＳの隙間からの雨水や異物の侵入を防止し得るようになっている。
【００２８】
一方、シャッター３の裏面（ロータ２上面と対向する面）には、それぞれの磁石４を嵌入させて係止させ得る４つの凹部３ｂが形成されている。かかる凹部３ｂは、シャッター３が規制位置にあるとき、磁石４ａと対応する位置にそれぞれ形成されており、当該シャッター３が開放位置から規制位置に回転操作されると、図３に示すように、凹部３ｂに磁石４ａが入り込んで係止状態とされ、更なる同方向への回転及び開放位置側への回転が規制されてロック状態となる。
【００２９】
マグネットキー７（解錠手段）は、マグネット錠４（ロック手段）のロックを解除してシャッター３を開放位置側へ回転操作し得るもので、図５、６に示すように、イグニッションキーＩＫの把持部ＩＫｂ（所謂マスコット部と称される樹脂成形部品であって操作者が把持し得る部位）に一体形成されたものである。即ち、イグニッションキーＩＫには、キー孔２ａに挿通させ得るキー部ＩＫａが延設されているとともに、当該キー部ＩＫａが形成された部位と反対側にマグネットキー７が一体形成されているのである。尚、本参考例においては、マグネットキー７がイグニッションキーＩＫの把持部ＩＫｂに一体形成されているが、当該イグニッションキーＩＫとは別体構成としてもよい。
【００３０】
かかるマグネットキー７は、図５、６に示すように、把持部ＩＫｂから膨出した一対の膨出部７ｂと、これら膨出部７ｂのそれぞれに形成された磁石７ａ（磁気を発生させ得る「磁気発生手段」）と、シャッター３の孔形状３ａに挿通可能な突出部７ｃとから主に構成されている。膨出部７ｂは、その内側がシャッター３の凸部３ｃの外周壁面と略合致し得る形状とされており、突端側に磁石７ａが埋設されている。磁石７ａは、一方の膨出部７ｂに２つ、他方の膨出部７ｂに２つそれぞれ埋設されている。尚、本参考例においては、磁石７ａを４つ埋設しているが、マグネット錠４に合わせて２個又は３個埋設するようにしてもよい。
【００３１】
而して、シャッター３が規制位置にあるとき、図７に示すように、一対の膨出部７ｂにて当該シャッター３の凸部３ｃを挟持させる如くマグネットキー７をシャッター３の上面に当接させるとともに突出部７ｃをシャッター３の孔形状３ａに挿通させると、磁気発生手段としての磁石７ａのぞれぞれがマグネット錠４（ロック手段）を構成する磁石４ａのそれぞれに対応した位置となるよう設定されている。
【００３２】
ここで、磁気発生手段としての磁石７ａは、その下面（シャッター３を介して磁石４ａと対峙させる面）が磁石４ａの上面と同じ極（磁石４ａの上面がＳ極の場合はＳ極、当該磁石４ａの上面がＮ極の場合はＮ極）とされている。これにより、マグネットキー７をシャッター３の上面に当接させると、図７に示すように、磁気発生手段としての磁石７ａの磁気で磁石４ａが反発してそれぞれがバネ４ｂの付勢力に抗して下方へ移動し、シャッター３の裏面に形成された凹部３ｂとの係合が解かれて当該シャッター３のロックを解除し得るよう構成されている。
【００３３】
このようにロックが解除された状態を維持しつつ、イグニッションキーＩＫの把持部ＩＫｂを回転操作すれば、突出部７ｃがシャッター３の孔形状３ａに挿通して係止されている故、当該シャッター３がロータ２に対して相対的に回転可能とされ、規制位置から開放位置までの回転操作が許容される。シャッター３が開放位置に至ると、既述したように、キー孔２ａと孔形状３ａとが合致するので、キー孔２ａに対するイグニッションキーＩＫの挿通が可能とされる。尚、イグニッションキーＩＫの操作によってロータ２が回転する際には、図８、９に示すように、シャッター３が連れ回しされることとなる。
【００３４】
本参考例によれば、ロック手段は、シャッター３の裏面に形成された凹部３ｂに係止して当該シャッター３をロックし得るとともに、解錠手段（マグネットキー７）における磁気発生手段（磁石７ａ）の磁気で反発して移動し、当該凹部３ｂとの係合が解かれて当該シャッター３のロックを解除し得る磁石４ａを有したマグネット錠４から成るので、比較的簡単な構成で盗難の抑制を図ることができるとともに、ロック手段４のシールを容易に行わせることができる。即ち、シャッター３には、キー孔２ａと対応した孔形状３ａが形成されているものの、マグネット錠４にてロック手段を構成しているため、ロック手段に解錠手段を挿通させるべく他の部位に貫通孔を形成する必要がなく、防水或いは防塵効果を向上させることができるのである。
【００３５】
また、本参考例によれば、マグネット錠４における磁石４ａは、ロータ２の回転軸と略平行な方向に移動してシャッター３のロック又はロック解除が可能とされたので、イグニッションスイッチ装置１の幅方向の寸法を小さく設定することができ、装置の小型化を図ることができる。更に、磁石４ａ及び当該磁石４ａの移動範囲をシールするＯリング５、６（シール手段）が形成されたので、雨水や異物の侵入によって磁石４ａの移動がスムーズに行われなくなってしまうのを回避することができ、装置の信頼性を向上させることができる。
【００３６】
尚、本参考例において、ロータ２は、その上面から上方に突出した凸部が形成されるとともに、シャッター３は、当該凸部に倣った凸形状３ｃを有して成るので、当該凸形状３ｃの突出寸法を比較的大きく設定すれば、シャッター３の開放位置から規制位置までの回転操作を行う際、マグネットキー７の如き解錠手段を用いずにシャッター３の凸形状３ｃを摘んで操作することができ、操作性を向上させることができる。その一方、凸形状３ｃの突出寸法を微小に設定すれば、盗難等を目的とした第三者が汎用工具等で当該凸形状３ｃを挟持するのを困難として防犯効果をより向上させることができる。
【００３７】
次に、本発明に係る実施形態について説明する。
本実施形態に係るイグニッションスイッチ装置は、参考例と同様、二輪車等に装備されてイグニッションキーを挿抜可能なロータを具備したもので、図１０に示すように、ロータ９と、シャッター１０と、ロック手段としてのマグネット錠４と、解錠手段としてのマグネットキー７と、シール手段としてのＯリング５、６とから主に構成されている。尚、本実施形態に係るイグニッションスイッチ装置１’における参考例と同様の構成要素には同一の符号を付し、それらの詳細な説明を省略する。
【００３８】
ロータ９は、参考例と同様、本イグニッションスイッチ装置１’の筐体を構成するシリンダボディＳ内で回転軸（図１０における上下方向に延びる軸）を中心に回転可能に配設され、イグニッションキーＩＫ（図１１参照）を挿抜可能なキー孔９ａが形成されたものである。本実施形態に係るロータ９は、参考例の如くその上面に凸部が形成されておらず、シール手段としてのＯリング５、６が略同一高さに設けられている。
【００３９】
シャッター１０は、参考例と同様、ロータ９の上面（キー孔９ａを臨ませた面）を覆いつつ連結部材８によって当該ロータ９に対して回転可能に取り付けられるとともに、キー孔９ａと略同一の孔形状１０ａが形成されている。然るに、シャッター１０は、孔形状１０ａをキー孔９ａに合致させて当該キー孔９ａに対してイグニッションキーＩＫ（具体的には、イグニッションキーＩＫのキー部ＩＫａ）を挿通可能とさせる開放位置と、当該孔形状１０ａをキー孔９ａからずらした状態（厳密には、キー孔９ａに対して孔形状１０ａを略直交させた状態）として当該キー孔９ａに対するイグニッションキーＩＫ（厳密には、イグニッションキーＩＫのキー部ＩＫａ）の挿通を規制する規制位置との間で回転可能とされている。
【００４０】
一方、シャッター１０の裏面（ロータ９上面と対向する面）には、それぞれの磁石４を嵌入させて係止させ得る４つの凹部１０ｂが形成されている。かかる凹部１０ｂは、シャッター１０が規制位置にあるとき、磁石４ａと対応する位置にそれぞれ形成されており、当該シャッター１０が開放位置から規制位置に回転操作されると、凹部１０ｂに磁石４ａが入り込んで係止状態とされ、更なる同方向への回転及び開放位置側への回転が規制されてロック状態となる。尚、参考例と同様、４つの凹部１０ｂ全てに磁石４ａを設ける必要はなく、２〜３カ所に設けていれば足りる。
【００４１】
マグネットキー７（解錠手段）は、マグネット錠４（ロック手段）のロックを解除してシャッター１０を開放位置側へ回転操作し得るもので、図１１、１２に示すように、イグニッションキーＩＫの把持部ＩＫｂ（所謂マスコット部と称される樹脂成形部品であって操作者が把持し得る部位）に一体形成されたものである。本実施形態においては、突出部７ｃの突端は、膨出部７ｂの突端より寸法ｔだけ高くなるよう設定されており、シャッター１０が規制位置にあるとき、図１３に示すように、突出部７ｃをシャッター１０の孔形状１０に挿通させると、磁気発生手段としての磁石７ａのぞれぞれがマグネット錠４（ロック手段）を構成する磁石４ａのそれぞれに対応した位置となるよう設定されている。
【００４２】
かかる状態でマグネット錠４によるロックが解除されることとなり、イグニッションキーＩＫの把持部ＩＫｂを回転操作すれば、突出部７ｃがシャッター１０の孔形状１０ａに挿通して係止されている故、当該シャッター１０がロータ９に対して相対的に回転可能とされ、規制位置から開放位置までの回転操作が許容される。
【００４３】
ここで、本実施形態に係るシャッター１０は、参考例の如く凸部３ｃが形成されておらず、その上面が略平坦な面（孔形状１０ａ以外に凹凸がほとんど形成されない面）とされている。これにより、盗難を目的とした第三者がペンチなどの汎用工具を用いてシャッター３と共にロータ２を無理矢理回転させてしまうのを回避することができ、盗難防止効果をより向上させることができる。
【００４４】
また、本実施形態によれば、ロック手段は、シャッター１０の裏面に形成された凹部１０ｂに係止して当該シャッター１０をロックし得るとともに、解錠手段（マグネットキー７）における磁気発生手段（磁石７ａ）の磁気で反発して移動し、当該凹部１０ｂとの係合が解かれて当該シャッター１０のロックを解除し得る磁石４ａを有したマグネット錠４から成るので、比較的簡単な構成で盗難の抑制を図ることができるとともに、ロック手段４のシールを容易に行わせることができる。
【００４５】
また、本実施形態によれば、マグネット錠４における磁石４ａは、ロータ９の回転軸と略平行な方向に移動してシャッター１０のロック又はロック解除が可能とされたので、イグニッションスイッチ装置１の幅方向の寸法を小さく設定することができ、装置の小型化を図ることができる。更に、磁石４ａ及び当該磁石４ａの移動範囲をシールするＯリング５、６（シール手段）が形成されたので、雨水や異物の侵入によって磁石４ａの移動がスムーズに行われなくなってしまうのを回避することができ、装置の信頼性を向上させることができる。
【００４６】
以上、本実施形態について説明したが、本発明はこれらに限定されない。なお、他の参考例として例えば図１４に示すように、マグネット錠４における磁石４ａが、ロータ１１の回転軸と略直交する方向に移動してシャッター１２のロック又はロック解除が可能とされたものとしてもよい。かかる他の参考例としてのイグニッションスイッチ装置１”は、ロータ１１の上面において上方に突出させ、その突出部にマグネット錠４の磁石４ａを配設させたもので、当該磁石４ａが同図中左右方向に移動可能とされるとともに、シャッター１２における磁石４ａと対応した部位には、当該磁石４ａを係止してロック可能な凹部１２ｂが形成されている。
【００４７】
この場合、図１５、１６で示す如きマグネットキー１３（解錠手段）とされる。このマグネットキー１３は、イグニッションキーＩＫの把持部ＩＫｂに一体形成されたもので、円筒状に膨出した膨出部１３ｂと、該膨出部１３ｂの側壁における内面に向けて埋設された磁石１３ａ（磁気発生手段）と、シャッター１２の孔形状１２ａに挿通可能な突出部１３ｃとを有して成る。そして、図１７で示すように、シャッター１２の凸部１２ｃに円筒状の膨出部１３ｂを嵌め込むと、磁気発生手段としての磁石１３ａとマグネット錠４の磁石４ａとがシャッター１２の凸部１２ｂにおける側壁面を介して対峙し、マグネット錠４によるロックが解除されることとなる。
【００４８】
また、マグネット錠４は、上記実施形態の如く４つの磁石４ａを有したものに限定されず、ロータの上面に配設された１〜３つの磁石或いは５つ以上の磁石を有したものとしてもよい。更に、本実施形態においては、シール手段がＯリングから成るものとされているが、磁石４ａ及び当該磁石４ａの移動範囲をシールするシール手段であれば、他の汎用的なものとすることができる。尚、本実施形態においては、二輪車に適用されているが、他の車両に適用することができる。
【産業上の利用可能性】
【００４９】
解錠手段は、磁気を発生させ得る磁気発生手段と、シャッターの孔形状に挿通して係止可能な突出部とを有し、ロック手段は、シャッターの裏面に形成された凹部に係止して当該シャッターをロックし得るとともに、解錠手段における磁気発生手段の磁気で反発して移動し、当該凹部との係合が解かれて当該シャッターのロックを解除し得る磁石を有したマグネット錠から成り、且つ、シャッターは、その上面が略平坦な面とされるとともに、突出部が孔形状に挿通して係止された状態で磁気発生手段がロック手段に対応した位置となってロックが解除され、その状態から解錠手段を回転させることにより規制位置から開放位置までの回転操作が可能とされるイグニッションスイッチ装置であれば、外観形状が異なるもの或いは他の機能が付加されたもの等にも適用することができる。
【符号の説明】
【００５０】
１、１’、１”  イグニッションスイッチ装置
２  ロータ
２ａ  キー孔
３  シャッター
３ａ  孔形状
３ｂ  凹部
４  マグネット錠（ロック手段）
５、６  Ｏリング（シール手段）
７  マグネットキー（解錠手段）
７ａ  磁石（磁気発生手段）
８  連結部材
９  ロータ
９ａ  キー孔
１０  シャッター
１０ａ  孔形状
１０ｂ  凹部
１１  ロータ
１１ａ  キー孔
１２  シャッター
１２ａ  孔形状
１２ｂ  凹部
Ｓ  シリンダボディ
【図１】
0005710900.tif 000002
【図２】
0005710900.tif 000003
【図３】
0005710900.tif 000004
【図４】
0005710900.tif 000005
【図５】
0005710900.tif 000006
【図６】
0005710900.tif 000007
【図７】
0005710900.tif 000008
【図８】
0005710900.tif 000009
【図９】
0005710900.tif 000010
【図１０】
0005710900.tif 000011
【図１１】
0005710900.tif 000012
【図１２】
0005710900.tif 000013
【図１３】
0005710900.tif 000014
【図１４】
0005710900.tif 000015
【図１５】
0005710900.tif 000016
【図１６】
0005710900.tif 000017
【図１７】
0005710900.tif 000018